(57)【要約】【課題】  本発明は、ユーザへの案内表示や装置の状態表示を的確且つ充分に行うことができ、操作性が向上されると共に、装置の小型化および軽量化を実現することができる携帯型プリンタを提供することを課題とする。【解決手段】  本体１の上面は、表示板２が装着される長方形の表示板装着面となっており、表示板装着面の前後両側には、表示板装着面に装着された表示板２を支持するガイド部１７が形成され、表示板装着面には、対角位置に配置された有機ＥＬ用電極体が設けられている。表示板装着面に装着される表示板は、ガラス等の透明基板に有機ＥＬ素子が形成された表示板装着面と略同一形状の面を有する板状部材であり、裏面には、有機ＥＬディスプレイを駆動する電気信号の入力端子である有機ＥＬ用端子が設けられている。【選択図】        図１
2006142518.tif 000002
【特許請求の範囲】
【請求項１】
本体にロール紙に印字を施す印字手段が内蔵されている携帯型プリンタであって、
前記本体の表示板装着面に設けられた有機ＥＬ用電極体と、
前記表示板装着面に装着された状態で前記有機ＥＬ用電極体と電気的導通がなされる有機ＥＬ用端子が裏面に設けられた有機ＥＬディスプレイとを具備し、
前記有機ＥＬディスプレイを駆動する電気信号が前記有機ＥＬ用電極体から前記有機ＥＬ用端子に供給されることを特徴とする携帯型プリンタ。
【請求項２】
前記有機ＥＬ用電極体は、前記表示板装着面に複数個設けられており、
前記有機ＥＬディスプレイの前記表示板装着面への装着方向に応じて複数個の前記有機ＥＬ用電極体のいずれかが前記有機ＥＬ用端子と電気的導通がなされることを特徴とする請求項１記載の携帯型プリンタ。
【請求項３】
前記有機ＥＬディスプレイの前記表示板装着面への装着方向を検出する装着方向検出手段を具備し、
前記装着方向検出手段によって検出された装着方向に基づいて複数の前記有機ＥＬ用電極体の内、前記有機ＥＬ用端子と電気的導通がなされている前記有機ＥＬ用電極体からのみ前記有機ＥＬディスプレイを駆動する電気信号を出力させることを特徴とする請求項２記載の携帯型プリンタ。
【請求項４】
前記表示板装着面は、湾曲しており、
前記有機ＥＬディスプレイは、前記表示板装着面と略同一形状に湾曲した透明基板に有機ＥＬ素子が形成されていることを特徴とする請求項１乃至３のいずれかに記載の携帯型プリンタ。
【請求項５】
前記有機ＥＬディスプレイは、フレキシブルな透明基板に有機ＥＬ素子が形成されていることを特徴とする請求項１乃至４のいずれかに記載の携帯型プリンタ。
【発明の詳細な説明】
【技術分野】
【０００１】
本発明は、ユーザが手に持った状態や、腰等の身体に装着した状態で使用される携帯型プリンタに関し、特にユーザへの案内表示や、装置の状態表示等を行う表示部を有する携帯型プリンタに関する。
【背景技術】
【０００２】
ユーザが手に持った状態や、腰等の身体に装着した状態で使用される携帯型プリンタは、携帯性を向上させるため、小型化および軽量化されており、ユーザへの案内表示や装置の状態表示等を行う表示部として、ＬＥＤ（発光ダイオード）を用いるのが一般的である（例えば、特許文献１参照）。
【０００３】
しかしながら、従来技術では、ＬＥＤでは、限られた情報しかユーザに伝達することができず、ユーザへの案内表示や装置の状態表示を的確且つ充分に行うことができないため、操作性が損なわれてしまうという問題点があった。
【０００４】
なお、ユーザへの案内表示や装置の状態表示等を行う表示部としてＬＣＤ（液晶ディスプレイ）を備えた携帯型プリンタも存在するが、ＬＣＤには、バックライトが必要となり、装置の小型化および軽量化が阻害されてしまうという問題点があった。
【特許文献１】特開平１１−２６８３７６号公報
【発明の開示】
【発明が解決しようとする課題】
【０００５】
本発明は斯かる問題点を鑑みてなされたものであり、その目的とするところは、ユーザへの案内表示や装置の状態表示を的確且つ充分に行うことができ、操作性が向上されると共に、装置の小型化および軽量化を実現することができる携帯型プリンタを提供する点にある。
【課題を解決するための手段】
【０００６】
本発明は上記課題を解決すべく、以下に掲げる構成とした。
請求項１記載の発明の要旨は、本体にロール紙に印字を施す印字手段が内蔵されている携帯型プリンタであって、前記本体の表示板装着面に設けられた有機ＥＬ用電極体と、前記表示板装着面に装着された状態で前記有機ＥＬ用電極体と電気的導通がなされる有機ＥＬ用端子が裏面に設けられた有機ＥＬディスプレイとを具備し、前記有機ＥＬディスプレイを駆動する電気信号が前記有機ＥＬ用電極体から前記有機ＥＬ用端子に供給されることを特徴とする携帯型プリンタに存する。
また請求項２記載の発明の要旨は、前記有機ＥＬ用電極体は、前記表示板装着面に複数個設けられており、前記有機ＥＬディスプレイの前記表示板装着面への装着方向に応じて複数個の前記有機ＥＬ用電極体のいずれかが前記有機ＥＬ用端子と電気的導通がなされることを特徴とする請求項１記載の携帯型プリンタに存する。
また請求項３記載の発明の要旨は、前記有機ＥＬディスプレイの前記表示板装着面への装着方向を検出する装着方向検出手段を具備し、前記装着方向検出手段によって検出された装着方向に基づいて複数の前記有機ＥＬ用電極体の内、前記有機ＥＬ用端子と電気的導通がなされている前記有機ＥＬ用電極体からのみ前記有機ＥＬディスプレイを駆動する電気信号を出力させることを特徴とする請求項２記載の携帯型プリンタに存する。
また請求項４記載の発明の要旨は、前記表示板装着面は、湾曲しており、前記有機ＥＬディスプレイは、前記表示板装着面と略同一形状に湾曲した透明基板に有機ＥＬ素子が形成されていることを特徴とする請求項１乃至３のいずれかに記載の携帯型プリンタに存する。
また請求項５記載の発明の要旨は、前記有機ＥＬディスプレイは、フレキシブルな透明基板に有機ＥＬ素子が形成されていることを特徴とする請求項１乃至４のいずれかに記載の携帯型プリンタに存する。
【発明の効果】
【０００７】
本発明の携帯型プリンタは、有機ＥＬディスプレイを設けることにより、有機ＥＬディスプレイを用いてユーザへの案内表示や装置の状態表示を的確且つ充分に行うことができ、操作性が向上されると共に、本体の表示板装着面に設けられた有機ＥＬ用電極体から有機ＥＬディスプレイの裏面に設けられた有機ＥＬ用端子に有機ＥＬディスプレイを駆動する電気信号を供給するように構成することにより、有機ＥＬディスプレイの接続ケーブルが不要になり、有機ＥＬディスプレイの薄型且つ軽量という特徴を最大限に活用することができるため、装置の小型化および軽量化を実現することができるという効果を奏する。
【０００８】
さらに、本発明の携帯型プリンタは、複数個の有機ＥＬ用電極体を表示板装着面に設け、有機ＥＬディスプレイの表示板装着面への装着方向に応じて複数個の有機ＥＬ用電極体のいずれかが有機ＥＬ用端子と電気的導通がされるように構成することにより、使用状況に応じて有機ＥＬディスプレイの向きを変更することができ、さらに操作性を向上させることができるという効果を奏する。また、有機ＥＬディスプレイが脱着可能であることから、有機ＥＬディスプレイが破損した場合には、簡単に交換することができる。
【０００９】
さらに、本発明の携帯型プリンタは、有機ＥＬディスプレイの表示板装着面への装着方向を検出する装着方向検出手段を具備し、複数の有機ＥＬ用電極体の内、有機ＥＬ用端子と電気的導通がなされている有機ＥＬ用電極体からのみ有機ＥＬディスプレイを駆動する電気信号を出力させるように構成することにより、有機ＥＬ用端子と電気的導通がなされていない有機ＥＬ用電極体から出力される電気信号が有機ＥＬディスプレイの表示に悪影響を与えることを防止することができるという効果を奏する。
【００１０】
さらに、本発明の携帯型プリンタは、湾曲した表示板装着面に、表示板装着面と略同一形状に湾曲した透明基板に有機ＥＬ素子が形成されている有機ＥＬディスプレイを装着するように構成することにより、有機ＥＬディスプレイの装着箇所が平面に限定されないため、デザイン性に優れた装置を提供することができるという効果を奏する。
【発明を実施するための最良の形態】
【００１１】
以下、本発明の実施の形態を図面に基づいて詳細に説明する。
【００１２】
（第１の実施の形態）
図１は、本発明に係る携帯型プリンタの第１の実施の形態の構成を示す斜視図であり、図２は、本発明に係る携帯型プリンタの第１の実施の形態における表示板未装着状態の構成を示す斜視図である。図３は、図１に示す表示板の構成を示す図であり、（ａ）は、表面の構成を示す斜視図であり、（ｂ）は、裏面の構成を示す斜視図である。図４は、本発明に係る携帯型プリンタの第１の実施の形態における表示板装着例を説明する説明図である。
【００１３】
第１の実施の形態は、ユーザが手に持った状態や、腰等の身体に装着した状態で使用される携帯型プリンタであり、図１を参照すると、ラベルが帯状台紙に間隔をおいて仮着されているラベル連続体や帯状の用紙が巻き回されたロール紙に印字を施す印字手段が内蔵されている本体１と、本体１の上部に装着される表示板２とを備えている。
【００１４】
ロール紙は、本体１に収納されるように構成されており、カバーオープンボタン１１を操作して前面に設けられたカバー１２を開くことにより、ロール紙を本体１内の図示しない収納部に収納することができる。収納部に収納されたロール紙は、印字部に供給され、印字部によって印字が施されたロール紙が前面に設けられた排出口１３から本体１外に排出される。また、符号１４は、ロール紙としてラベル連続体を装填した際に用いられる剥離ユニットであり、剥離ユニット１４を下方にスライドさせることにより、ラベルが帯状台紙から剥離され、剥離されたラベルがラベル排出口１５から排出され、ラベル剥離後の帯状台紙が排出口１３から排出される。
【００１５】
図２を参照すると、本体１の上面は、表示板２が装着される長方形の表示板装着面１６となっており、表示板装着面１６の前後両側には、表示板２の表示板装着面１６への装着をガイドすると共に、表示板装着面１６に装着された表示板２を支持するガイド部１７が形成されている。また、表示板装着面１６には、対角位置に配置された有機ＥＬ用電極体１８ａ、１８ｂと、対角位置に配置されたＬＥＤ用電極体１９ａ、１９ｂと、方向検出用電極２０とが設けられている。
【００１６】
方向検出用電極２０は、３枚の電極２０ａ、２０ｂ、２０ｃで構成されており、電極２０ａと電極２０ｂとの電気的接続がなされると、有機ＥＬ用電極体１８ａおよびＬＥＤ用電極体１９ａのみが有効になり、有機ＥＬ用電極体１８ａおよびＬＥＤ用電極体１９ａから有機ＥＬディスプレイ２１およびＬＥＤ２２を駆動する電気信号がそれぞれ出力され、電極２０ｂと電極２０ｃとの電気的接続がなされると、有機ＥＬ用電極体１８ｂおよびＬＥＤ用電極体１９ｂのみが有効になり、有機ＥＬ用電極体１８ｂおよびＬＥＤ用電極体１９ｂから有機ＥＬディスプレイ２１およびＬＥＤ２２を駆動する電気信号がそれぞれ出力されるように構成されている。また、電極２０ａ、２０ｂ、２０ｃ間の電気的接続がなされない場合には、有機ＥＬ用電極体１８ａおよびＬＥＤ用電極体１９ａと、有機ＥＬ用電極体１８ｂおよびＬＥＤ用電極体１９ｂとのいずれからも有機ＥＬディスプレイ２１およびＬＥＤ２２を駆動する電気信号が出力されないように構成されている。
【００１７】
表示板２は、図３を参照すると、ガラス等の透明基板に有機ＥＬ(electroluminescence)素子が形成されている有機ＥＬディスプレイ２１と、ＬＥＤ２２が組み込まれた領域とからなり、表示板装着面１６と略同一形状の面を有する板状部材であり、裏面には、有機ＥＬディスプレイ２１を駆動する電気信号の入力端子である有機ＥＬ用端子２３と、ＬＥＤ２２を駆動する電気信号の入力端子であるＬＥＤ用端子２４と、金属板２５とが設けられている。
【００１８】
表示板２は、表示板装着面１６に脱着可能になっており、表示板装着面１６への表示板２の装着は、表示板装着面１６の前後両側に形成されたガイド部１７間に表示板２の端部を挿入し、図４に矢印で示すように、表示板２を表示板装着面１６に接触させた状態で、ガイド部１７に沿って左右方向にスライドさせることによって行われる。
【００１９】
また、表示板２は、長方形の表示板装着面１６と略同一形状の面を有する板状部材であるため、表示板装着面１６への表示板２の装着方向としては、図４（ａ）に示すように、本体１の前面、すなわち排出口１３が形成されている面側が有機ＥＬディスプレイ２１の下方になるような装着と、図４（ｂ）に示すように、本体１の前面、すなわち排出口１３が形成されている面側が有機ＥＬディスプレイ２１の上方になるような装着と、図４（ｃ）に示すように、表示板２の裏面を表側にした装着との３通りを選択することができる。
【００２０】
図４（ａ）に示すように、本体１の前面、すなわち排出口１３が形成されている面側が有機ＥＬディスプレイ２１の下方になるように装着した場合には、ユーザが本体１の前面、すなわち排出口１３が形成されている面側を手前側にして手に持った状態で、排出口１３からのロール紙の排出と、有機ＥＬディスプレイ２１の表示とを確認しやすくなり、ユーザが手に持った状態での使用に適している。
【００２１】
また、本体１の前面側が有機ＥＬディスプレイ２１の下方になるように装着した場合には、表示板２の裏面に設けられた有機ＥＬ用端子２３およびＬＥＤ用端子２４が、表示板装着面１６に設けられた有機ＥＬ用電極体１８ａおよびＬＥＤ用電極体１９ａとそれぞれ接触して電気的導通状態となると共に、表示板２の裏面に設けられた金属板２５によって電極２０ａと電極２０ｂとの電気的接続がなされる。従って、有機ＥＬ用電極体１８ａおよびＬＥＤ用電極体１９ａのみから有機ＥＬディスプレイ２１およびＬＥＤ２２をそれぞれ駆動する電気信号が有機ＥＬ用端子２３およびＬＥＤ用端子２４にそれぞれ供給されると共に、有機ＥＬ用電極体１８ｂおよびＬＥＤ用電極体１９ｂからは、有機ＥＬディスプレイ２１およびＬＥＤ２２をそれぞれ駆動する電気信号が出力されず、有機ＥＬ用電極体１８ｂおよびＬＥＤ用電極体１９ｂから出力される電気信号が有機ＥＬディスプレイ２１の表示に悪影響を与えることがない。
【００２２】
図４（ｂ）に示すように、本体１の前面、すなわち排出口１３が形成されている面側が有機ＥＬディスプレイ２１の上方になるように装着した場合には、ユーザが本体１の後面、すなわち排出口１３が形成されていない面側を手前側にして腰等の身体に装着した状態で排出口１３からのロール紙の排出と、有機ＥＬディスプレイ２１の表示とを確認しやすくなり、ユーザが腰等の身体に装着した状態での使用に適している。
【００２３】
本体１の前面側が有機ＥＬディスプレイ２１の上方になるように装着した場合には、表示板２の裏面に設けられた有機ＥＬ用端子２３およびＬＥＤ用端子２４が、表示板装着面１６に設けられた有機ＥＬ用電極体１８ｂおよびＬＥＤ用電極体１９ｂとそれぞれ接触して電気的導通状態となると共に、表示板２の裏面に設けられた金属板２５によって電極２０ｂと電極２０ｃとの電気的接続がなされる。従って、有機ＥＬ用電極体１８ｂおよびＬＥＤ用電極体１９ｂのみから有機ＥＬディスプレイ２１およびＬＥＤ２２をそれぞれ駆動する電気信号が有機ＥＬ用端子２３およびＬＥＤ用端子２４にそれぞれ供給されると共に、有機ＥＬ用電極体１８ａおよびＬＥＤ用電極体１９ａからは、有機ＥＬディスプレイ２１およびＬＥＤ２２をそれぞれ駆動する電気信号が出力されず、有機ＥＬ用電極体１８ａおよびＬＥＤ用電極体１９ａから出力される電気信号が有機ＥＬディスプレイ２１の表示に悪影響を与えることがない。
【００２４】
図４（ｃ）に示すように、表示板２の裏面を表側にして装着した場合には、未使用時に表示板２の表面を保護することができ、表示板２の裏面に設けられた金属板２５によって電極２０ａ、２０ｂ、２０ｃ間の電気的接続がなされないため、有機ＥＬ用電極体１８ａおよびＬＥＤ用電極体１９ａと、有機ＥＬ用電極体１８ｂおよびＬＥＤ用電極体１９ｂとのいずれからも有機ＥＬディスプレイ２１およびＬＥＤ２２を駆動する電気信号が出力されない。
【００２５】
なお、第１の実施の形態では、表示板装着面１６の前後両側に形成されたガイド部１７によって、表示板装着面１６に装着された表示板２を支持するように構成したが、他の支持方法を用いても良く、例えば、表示板装着面１６に載置した表示板２の周縁部を抑える枠体等によって表示板装着面１６に装着された表示板２を支持するように構成しても良い。
【００２６】
さらに、第１の実施の形態では、表示板２の面が露出するように構成したが、表示板装着面１６の前後両側に形成されたガイド部１７間にガラス板等の透明板を架け渡し、表示板２を保護するように構成しても良い。
【００２７】
以上説明したように、第１の実施の形態によれば、有機ＥＬディスプレイ２１を設けることにより、有機ＥＬディスプレイ２１を用いてユーザへの案内表示や装置の状態表示を的確且つ充分に行うことができ、操作性が向上されると共に、本体の表示板装着面１６に設けられた有機ＥＬ用電極体１８ａ、１８ｂから有機ＥＬディスプレイ２１の裏面に設けられた有機ＥＬ用端子２３に有機ＥＬディスプレイ２１を駆動する電気信号を供給するように構成することにより、有機ＥＬディスプレイ２１の接続ケーブルが不要になり、有機ＥＬディスプレイ２１の薄型且つ軽量という特徴を最大限に活用することができるため、装置の小型化および軽量化を実現することができるという効果を奏する。また、有機ＥＬディスプレイ２１が脱着可能であることから、有機ＥＬディスプレイ２１が破損した場合には、簡単に交換することができる。
【００２８】
さらに、第１の実施の形態によれば、複数個の有機ＥＬ用電極体１８ａ、１８ｂを表示板装着面１６に設け、有機ＥＬディスプレイ２１の表示板装着面１６への装着方向に応じて複数個の有機ＥＬ用電極体１８ａ、１８ｂのいずれかが有機ＥＬ用端子２３と電気的導通がされるように構成することにより、使用状況に応じて有機ＥＬディスプレイ２１の向きを変更することができ、さらに操作性を向上させることができるという効果を奏する。
【００２９】
さらに、第１の実施の形態によれば、有機ＥＬディスプレイ２１の表示板装着面１６への装着方向を検出する方向検出用電極を表示板装着面１６に設け、複数の有機ＥＬ用電極体１８ａ、１８ｂの内、有機ＥＬ用端子と電気的導通がなされている有機ＥＬ用電極体１８ａ、１８ｂからのみ有機ＥＬディスプレイ２１を駆動する電気信号を出力させるように構成することにより、有機ＥＬ用端子２３と電気的導通がなされていない有機ＥＬ用電極体１８ａ、１８ｂから出力される電気信号が有機ＥＬディスプレイ２１の表示に悪影響を与えることを防止することができるという効果を奏する。
【００３０】
（第２の実施の形態）
図５は、本発明に係る携帯型プリンタの第２の実施の形態の構成を示す斜視図であり、図６は、本発明に係る携帯型プリンタの第２の実施の形態における表示板未装着状態の構成を示す図であり、（ａ）は、斜視図であり、（ｂ）は、上面図である。図７は、図５に示す表示板の構成を示す図であり、（ａ）は、表面の構成を示す斜視図であり、（ｂ）は、裏面の構成を示す平面図である。図８は、本発明に係る携帯型プリンタの第２の実施の形態における表示板装着例を説明する説明図である。
【００３１】
第２の実施の形態は、ユーザが手に持った状態や、腰等の身体に装着した状態で使用される携帯型プリンタであり、図５を参照すると、ラベルが帯状台紙に間隔をおいて仮着されているラベル連続体や帯状の用紙が巻き回されたロール紙に印字を施す印字手段が内蔵されている本体３と、本体３の上部に装着される表示板４とを備えている。
【００３２】
ロール紙は、本体３に収納されるように構成されており、カバーオープンボタン３１を操作して前面に設けられたカバー３２を開くことにより、ロール紙を本体３内の図示しない収納部に収納することができる。収納部に収納されたロール紙は、印字部に供給され、印字部によって印字が施されたロール紙が前面に設けられた排出口３３から本体３外に排出される。また、符号３４は、ロール紙としてラベル連続体を装填した際に用いられる剥離ユニットであり、剥離ユニット３４を下方にスライドさせることにより、ラベルが帯状台紙から剥離され、剥離されたラベルがラベル排出口３５から排出され、ラベル剥離後の帯状台紙が排出口３３から排出される。
【００３３】
図６を参照すると、本体３の上面には、表示板４が装着される湾曲した表示板装着面３８が設けられており、表示板装着面３８の前後両側には、表示板４の表示板装着面３８への装着をガイドすると共に、表示板装着面３８に装着された表示板４を支持するガイド部３７が形成されている。また、表示板装着面３８は、本体３の上面における端部よりに設けられており、表示板装着面３８に装着された表示板４の左右方向のスライドは、脱着可能な規制部材３６によって規制される。さらに、図６（ｂ）に示すように、表示板装着面３８には、対角位置に配置された有機ＥＬ用電極体３９ａ、３９ｂが設けられている。
【００３４】
表示板４は、図７を参照すると、表示板装着面３８と略同一形状に湾曲したガラス等の透明基板に有機ＥＬ(electroluminescence)素子が形成されている有機ＥＬディスプレイであり、裏面には、有機ＥＬディスプレイを駆動する電気信号の入力端子である有機ＥＬ用端子４１が設けられている。なお、有機ＥＬ(electroluminescence)素子を形成する透明素材としては、ポリマーフィルム等の透明フレキシブル素材を用いるようにしても良い。
【００３５】
表示板４は、表示板装着面３８に脱着可能になっており、表示板装着面３８への表示板４の装着は、まず、規制部材３６を取り外し、表示板装着面３８の前後両側に形成されたガイド部３７間に表示板４の端部を挿入し、図８に矢印で示すように、表示板４を表示板装着面３８に接触させた状態で、ガイド部３７に沿って左右方向にスライドさせて表示板装着面３８に表示板４を装着し、規制部材３６を取り付けて表示板装着面３８に装着された表示板４の左右方向のスライドを規制させる。
【００３６】
また、表示板４は、長方形の表示板装着面３８と略同一形状の面を有する湾曲した板状部材であるため、表示板装着面３８への表示板４の装着方向としては、本体３の前面、すなわち排出口３３が形成されている面側が表示板４の下方になるような装着と、本体４の前面、すなわち排出口３３が形成されている面側が表示板４の上方になるような装着との２通りを選択することができる。
【００３７】
本体３の前面、すなわち排出口３３が形成されている面側が表示板４の下方になるように装着した場合には、ユーザが本体３の前面、すなわち排出口３３が形成されている面側を手前側にして手に持った状態で、排出口３３からのロール紙の排出と、表示板４の表示とを確認しやすくなり、ユーザが手に持った状態での使用に適している。
【００３８】
また、本体３の前面側が表示板４の下方になるように装着した場合には、表示板４の裏面に設けられた有機ＥＬ用端子４１が、表示板装着面３８に設けられた有機ＥＬ用電極体３９ａと接触して電気的導通状態となり、有機ＥＬ用電極体３９ａから表示板４を駆動する電気信号が有機ＥＬ用端子４１に供給される。
【００３９】
本体３の前面、すなわち排出口３３が形成されている面側が表示板４の上方になるように装着した場合には、ユーザが本体３の後面、すなわち排出口３３が形成されていない面側を手前側にして腰等の身体に装着した状態で排出口３３からのロール紙の排出と、表示板４の表示とを確認しやすくなり、ユーザが腰等の身体に装着した状態での使用に適している。
【００４０】
本体３の前面側が表示板４の上方になるように装着した場合には、表示板４の裏面に設けられた有機ＥＬ用端子４１が、表示板装着面３８に設けられた有機ＥＬ用電極体３９ｂと接触して電気的導通状態となり、有機ＥＬ用電極体３９ｂのみから表示板４を駆動する電気信号が有機ＥＬ用端子４１に供給される。
【００４１】
以上説明したように、第２の実施の形態によれば、有機ＥＬディスプレイからなる表示板４を設けることにより、表示板４を用いてユーザへの案内表示や装置の状態表示を的確且つ充分に行うことができ、操作性が向上されると共に、本体の表示板装着面３８に設けられた有機ＥＬ用電極体３９ａ、３９ｂから表示板４の裏面に設けられた有機ＥＬ用端子４１に表示板４を駆動する電気信号を供給するように構成することにより、表示板４の接続ケーブルが不要になり、有機ＥＬディスプレイの薄型且つ軽量という特徴を最大限に活用することができるため、装置の小型化および軽量化を実現することができるという効果を奏する。また、有機ＥＬディスプレイ４が脱着可能であることから、表示板４が破損した場合には、簡単に交換することができる。
【００４２】
さらに、第２の実施の形態によれば、複数個の有機ＥＬ用電極体３９ａ、３９ｂを表示板装着面３８に設け、有機ＥＬディスプレイからなる表示板４の表示板装着面３８への装着方向に応じて複数個の有機ＥＬ用電極体３９ａ、３９ｂのいずれかが有機ＥＬ用端子４１と電気的導通がされるように構成することにより、使用状況に応じて表示板４の向きを変更することができ、さらに操作性を向上させることができるという効果を奏する。
【００４３】
さらに、第２の実施の形態によれば、湾曲した表示板装着面３８に、表示板装着面３８と略同一形状に湾曲した透明基板に有機ＥＬ素子が形成されている有機ＥＬディスプレイからなる表示板４を装着するように構成することにより、表示板４の装着箇所が平面に限定されないため、デザイン性に優れた装置を提供することができるという効果を奏する。
【００４４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４５】
【図１】本発明に係る携帯型プリンタの第１の実施の形態の構成を示す斜視図である。
【図２】本発明に係る携帯型プリンタの第１の実施の形態における表示板未装着状態の構成を示す斜視図である。
【図３】図１に示す表示板の構成を示す図であり、（ａ）は、表面の構成を示す斜視図であり、（ｂ）は、裏面の構成を示す斜視図である。
【図４】本発明に係る携帯型プリンタの第１の実施の形態における表示板装着例を説明する説明図である。
【図５】本発明に係る携帯型プリンタの第２の実施の形態の構成を示す斜視図である。
【図６】本発明に係る携帯型プリンタの第２の実施の形態における表示板未装着状態の構成を示す図であり、（ａ）は、斜視図であり、（ｂ）は、上面図である。
【図７】図５に示す表示板の構成を示す図であり、（ａ）は、表面の構成を示す斜視図であり、（ｂ）は、裏面の構成を示す平面図である。
【図８】本発明に係る携帯型プリンタの第２の実施の形態における表示板装着例を説明する説明図である。
【符号の説明】
【００４６】
１  本体
２  表示板
３  本体
４  表示板
１１  カバーオープンボタン
１２  カバー
１３  排出口
１４  剥離ユニット
１５  ラベル排出口
１６  表示板装着面
１７  ガイド部
１８ａ、１８ｂ  有機ＥＬ用電極体
１９ａ、１９ｂ  ＬＥＤ用電極体
２０  方向検出用電極（装着方向検出手段）
２０ａ、２０ｂ、２０ｃ  電極
２１  有機ＥＬディスプレイ
２２  ＬＥＤ
２３  有機ＥＬ用端子
２４  ＬＥＤ用端子
２５  金属板
３１  カバーオープンボタン
３２  カバー
３３  排出口
３４  剥離ユニット
３５  ラベル排出口
３６  規制部材
３７  ガイド部
３８  表示板装着面
３９ａ、３９ｂ  有機ＥＬ用電極体
４１  有機ＥＬ用端子
【図１】
2006142518.tif 000003
【図２】
2006142518.tif 000004
【図３】
2006142518.tif 000005
【図４】
2006142518.tif 000006
【図５】
2006142518.tif 000007
【図６】
2006142518.tif 000008
【図７】
2006142518.tif 000009
【図８】
2006142518.tif 000010